(57)【特許請求の範囲】
【請求項１】
固体撮像素子を備えるカメラにより表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像する単ピクセル撮像ステップと、
前記単ピクセル撮像ステップで撮像したピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出する露光係数算出ステップと、
前記表示パネルの全てのピクセルを点灯させて前記カメラにより撮像する全ピクセル撮像ステップと、
前記全ピクセル撮像ステップの撮像画像並びに前記中心露光係数及び前記周辺露光係数に基づいて、前記表示パネルの全てのピクセルの輝度を算出する輝度算出ステップとを含むことを特徴とする輝度測定方法。
【請求項２】
前記表示パネルの所定のピクセルを点灯させてなるアライメントパターンを前記カメラにより撮像し、前記アライメントパターンの像が前記カメラのどの画素に写るかを検出することにより、前記表示パネルのピクセルと前記カメラの画素との対応関係を求めるアライメントステップを含むことを特徴とする請求項１に記載の輝度測定方法。
【請求項３】
前記単ピクセル撮像ステップよりも前記ピクセルを拡大して撮像することにより、前記中心露光係数及び前記周辺露光係数を算出するための前記ピクセルの像の全体の輝度を求める拡大撮像ステップを含むことを特徴とする請求項１又は２に記載の輝度測定方法。
【請求項４】
表示パネルのピクセルの点灯を制御するとともに、固体撮像素子を備えるカメラによる撮像を制御する制御部と、
前記カメラの撮像画像に基づいて演算を行う演算部とを有し、
前記カメラにより前記表示パネルのピクセルを撮像したときに、前記カメラの撮像面上でピクセルの像が複数の画素に及ぶとともにピクセルの像同士が重なり合わないように、前記制御部が、前記表示パネルの一又は複数のピクセルを点灯させて前記カメラにより撮像した後に、前記演算部が、撮像されたピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出し、
前記制御部が、前記表示パネルの全てのピクセルを点灯させて前記カメラにより撮像した後に、前記演算部が、その撮像画像並びに前記中心露光係数及び前記周辺露光係数に基づいて、前記表示パネルの全てのピクセルの輝度を算出することを特徴とする輝度測定装置。
【請求項５】
前記制御部が、前記表示パネルの所定のピクセルを点灯させてなるアライメントパターンを前記カメラにより撮像し、前記演算部が、前記アライメントパターンの像が前記カメラのどの画素に写るかを検出することにより、前記表示パネルのピクセルと前記カメラの画素との対応関係を求めることを特徴とする請求項４に記載の輝度測定装置。
【請求項６】
前記制御部が、前記ピクセルの像の中心部に対応する一又は複数の画素の出力及び前記ピクセルの像の周辺部に対応する一又は複数の画素の出力を得るための撮像よりも、前記ピクセルを拡大して撮像し、前記演算部が、その撮像画像に基づいて前記ピクセルの像の全体の輝度を求め、前記中心露光係数及び前記周辺露光係数を算出することを特徴とする請求項４又は５に記載の輝度測定装置。
【請求項７】
固体撮像素子を備えるカメラにより表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像する単ピクセル撮像ステップと、
前記単ピクセル撮像ステップで撮像したピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出する露光係数算出ステップと、
前記表示パネルの全てのピクセルを点灯させて前記カメラにより撮像する全ピクセル撮像ステップと、
前記全ピクセル撮像ステップの撮像画像並びに前記中心露光係数及び前記周辺露光係数に基づいて、前記表示パネルの全てのピクセルの輝度を算出する輝度算出ステップと、
前記輝度算出ステップで算出した輝度に基づいて、前記表示パネルの入力信号を補正して前記表示パネルの輝度むらを低減させる補正データを生成する補正データ生成ステップとを含むことを特徴とする補正データ生成方法。
【請求項８】
前記表示パネルの所定のピクセルを点灯させてなるアライメントパターンを前記カメラにより撮像し、前記アライメントパターンの像が前記カメラのどの画素に写るかを検出することにより、前記表示パネルのピクセルと前記カメラの画素との対応関係を求めるアライメントステップを含むことを特徴とする請求項７に記載の補正データ生成方法。
【請求項９】
前記単ピクセル撮像ステップよりも前記ピクセルを拡大して撮像することにより、前記中心露光係数及び前記周辺露光係数を算出するための前記ピクセルの像の全体の輝度を求める拡大撮像ステップを含むことを特徴とする請求項７又は８に記載の補正データ生成方法。
【請求項１０】
表示パネルのピクセルの点灯を制御するとともに、固体撮像素子を備えるカメラによる撮像を制御する制御部と、
前記カメラの撮像画像に基づいて演算を行う演算部と、
前記表示パネルの入力信号を補正して前記表示パネルの輝度むらを低減させる補正データを生成する補正データ生成部とを有し、
前記カメラにより前記表示パネルのピクセルを撮像したときに、前記カメラの撮像面上でピクセルの像が複数の画素に及ぶとともにピクセルの像同士が重なり合わないように、前記制御部が、前記表示パネルの一又は複数のピクセルを点灯させて前記カメラにより撮像した後に、前記演算部が、撮像されたピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出し、
前記制御部が、前記表示パネルの全てのピクセルを点灯させて前記カメラにより撮像した後に、前記演算部が、その撮像画像並びに前記中心露光係数及び前記周辺露光係数に基づいて、前記表示パネルの全てのピクセルの輝度を算出し、
前記補正データ生成部が、前記表示パネルの全てのピクセルの輝度に基づいて、前記補正データを生成することを特徴とする補正データ生成装置。
【請求項１１】
前記制御部が、前記表示パネルの所定のピクセルを点灯させてなるアライメントパターンを前記カメラにより撮像し、前記演算部が、前記アライメントパターンの像が前記カメラのどの画素に写るかを検出することにより、前記表示パネルのピクセルと前記カメラの画素との対応関係を求めることを特徴とする請求項１０に記載の補正データ生成装置。
【請求項１２】
前記制御部が、前記ピクセルの像の中心部に対応する一又は複数の画素の出力及び前記ピクセルの像の周辺部に対応する一又は複数の画素の出力を得るための撮像よりも、前記ピクセルを拡大して撮像し、前記演算部が、その撮像画像に基づいて前記ピクセルの像の全体の輝度を求め、前記中心露光係数及び前記周辺露光係数を算出することを特徴とする請求項１０又は１１に記載の補正データ生成装置。
【請求項１３】
固体撮像素子を備えるカメラにより表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像する単ピクセル撮像ステップと、
前記単ピクセル撮像ステップで撮像したピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出する露光係数算出ステップと、
前記表示パネルの全てのピクセルを点灯させて前記カメラにより撮像する全ピクセル撮像ステップと、
前記全ピクセル撮像ステップの撮像画像並びに前記中心露光係数及び前記周辺露光係数に基づいて、前記表示パネルの全てのピクセルの輝度を算出する輝度算出ステップと、
前記輝度算出ステップで算出した輝度に基づいて、前記表示パネルの入力信号を補正して前記表示パネルの輝度むらを低減させる補正データを生成する補正データ生成ステップと、
前記補正データを画質調整回路の記憶部に記憶させる補正データ記憶ステップと、
前記画質調整回路が前記補正データに基づいて前記入力信号を補正するように、前記画質調整回路を前記表示パネルに実装する実装ステップとを含むことを特徴とする画質調整型表示パネルの製造方法。
【請求項１４】
前記表示パネルの所定のピクセルを点灯させてなるアライメントパターンを前記カメラにより撮像し、前記アライメントパターンの像が前記カメラのどの画素に写るかを検出することにより、前記表示パネルのピクセルと前記カメラの画素との対応関係を求めるアライメントステップを含むことを特徴とする請求項１３に記載の画質調整型表示パネルの製造方法。
【請求項１５】
前記単ピクセル撮像ステップよりも前記ピクセルを拡大して撮像することにより、前記中心露光係数及び前記周辺露光係数を算出するための前記ピクセルの像の全体の輝度を求める拡大撮像ステップを含むことを特徴とする請求項１３又は１４に記載の画質調整型表示パネルの製造方法。
【請求項１６】
表示パネルと、前記表示パネルの入力信号を補正して前記表示パネルの表示むらを低減させる補正データが記憶された記憶部を備える画質調整回路とを有し、
前記記憶部には、固体撮像素子を備えるカメラにより前記表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像し、撮像されたピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出し、前記表示パネルの全てのピクセルを点灯させて前記カメラにより撮像し、その撮像画像並びに前記中心露光係数及び前記周辺露光係数に基づいて、前記表示パネルの全てのピクセルの輝度を算出し、前記表示パネルの全てのピクセルの輝度に基づいて生成した補正データが、記憶されていることを特徴とする画質調整型表示パネル。
【発明の詳細な説明】
【技術分野】
【０００１】
本発明は、表示パネルの各ピクセルの輝度を測定する輝度測定方法及び輝度測定装置と、これらを用いた画質調整技術に関する。
【背景技術】
【０００２】
液晶パネルや有機ＥＬパネル等の表示パネルでは、製造上のばらつきに起因して、表示むら（輝度むら、色むら）が生じることが知られている。表示パネルの各ピクセルがＲ、Ｇ、Ｂのサブピクセルを有する場合、個々のピクセルにおけるＲ、Ｇ、Ｂの相対的な明るさの関係は異ならないものの、近接するピクセル間で絶対的な明るさに差があるときには、輝度むらとなる。また、個々のピクセルにおけるＲ、Ｇ、Ｂの相対的な明るさの関係が、近接するピクセル間で異なるときには、色むらとなる。特に、有機ＥＬパネルでは、ピクセルごとの有機化合物層の厚さを均一にすることが難しいため、不揃いな層厚に起因する表示むらが生じやすく、大画面化が容易ではなかった。【０００３】
このような表示むらを低減させて表示パネルの画質を改善する技術としては、例えば特許文献１に記載の輝度測定方法がある。この方法では、表示パネルの全てのピクセル（同文献における「画素」）を点灯させ、各ピクセルをＣＣＤカメラの複数の撮像点で撮像し（同文献の図５参照）、この複数の撮像点の輝度データに基づいてピクセルの輝度を算出している。算出されたピクセルごとの輝度を用いて表示むらを低減させる補正データを生成し、この補正データに応じて表示パネルの入力信号を補正することにより、表示パネルの画質を改善することができる。
【先行技術文献】
【特許文献】
【０００４】
【特許文献１】特開２０１０−２０３８８９号公報
【発明の概要】
【発明が解決しようとする課題】
【０００５】
ところで、特許文献１では、表示パネルの各ピクセルがカメラの撮像面上で独立して像を形成し、隣接するピクセルの像同士が重なり合わないことを前提としているが、実際には、カメラのレンズの収差その他の原因により、隣接するピクセルの像同士は重なり合う。したがって、ピクセルの輝度を正確に測定するためには、そのピクセルの像が位置する撮像面上の画素の出力をそのまま用いることはできず、そのピクセルに隣接するピクセルがその画素に与える影響を除去しなければならない。【０００６】
一方、隣接するピクセルの像同士の重なり合いを回避するために、ピクセルを一つずつ点灯させて輝度を順次測定したとしても、一般に、ピクセルの輝度は、個別に点灯させた場合と全体で点灯させた場合（全てのピクセルを同時に点灯させた場合）では異なるから、ピクセルを一つずつ点灯させて測定した輝度を用いて、表示むらを低減させるための補正データを生成したとしても、表示むらをうまく消すことができない。【０００７】
本発明は、上記の事情に鑑みてなされたもので、表示パネルのピクセルの像がカメラの撮像面上で重なり合っていても、各ピクセルの輝度を正確に測定することができる輝度測定方法及び輝度測定装置と、これらを用いた画質調整技術を提供することを課題としている。
【課題を解決するための手段】
【０００８】
上記課題を解決するために、請求項１に記載の発明は、固体撮像素子を備えるカメラにより表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像する単ピクセル撮像ステップと、前記単ピクセル撮像ステップで撮像したピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出する露光係数算出ステップと、前記表示パネルの全てのピクセルを点灯させて前記カメラにより撮像する全ピクセル撮像ステップと、前記全ピクセル撮像ステップの撮像画像並びに前記中心露光係数及び前記周辺露光係数に基づいて、前記表示パネルの全てのピクセルの輝度を算出する輝度算出ステップとを含む輝度測定方法を特徴とする。【０００９】
請求項２に記載の発明は、請求項１に記載の輝度測定方法であって、前記表示パネルの所定のピクセルを点灯させてなるアライメントパターンを前記カメラにより撮像し、前記アライメントパターンの像が前記カメラのどの画素に写るかを検出することにより、前記表示パネルのピクセルと前記カメラの画素との対応関係を求めるアライメントステップを含むことを特徴とする。【００１０】
請求項３に記載の発明は、請求項１又は２に記載の輝度測定方法であって、前記単ピクセル撮像ステップよりも前記ピクセルを拡大して撮像することにより、前記中心露光係数及び前記周辺露光係数を算出するための前記ピクセルの像の全体の輝度を求める拡大撮像ステップを含むことを特徴とする。【００１１】
請求項４に記載の発明は、表示パネルのピクセルの点灯を制御するとともに、固体撮像素子を備えるカメラによる撮像を制御する制御部と、前記カメラの撮像画像に基づいて演算を行う演算部とを有し、前記カメラにより前記表示パネルのピクセルを撮像したときに、前記カメラの撮像面上でピクセルの像が複数の画素に及ぶとともにピクセルの像同士が重なり合わないように、前記制御部が、前記表示パネルの一又は複数のピクセルを点灯させて前記カメラにより撮像した後に、前記演算部が、撮像されたピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出し、前記制御部が、前記表示パネルの全てのピクセルを点灯させて前記カメラにより撮像した後に、前記演算部が、その撮像画像並びに前記中心露光係数及び前記周辺露光係数に基づいて、前記表示パネルの全てのピクセルの輝度を算出する輝度測定装置を特徴とする。【００１２】
請求項５に記載の発明は、請求項４に記載の輝度測定装置であって、前記制御部が、前記表示パネルの所定のピクセルを点灯させてなるアライメントパターンを前記カメラにより撮像し、前記演算部が、前記アライメントパターンの像が前記カメラのどの画素に写るかを検出することにより、前記表示パネルのピクセルと前記カメラの画素との対応関係を求めることを特徴とする。【００１３】
請求項６に記載の発明は、請求項４又は５に記載の輝度測定装置であって、前記制御部が、前記ピクセルの像の中心部に対応する一又は複数の画素の出力及び前記ピクセルの像の周辺部に対応する一又は複数の画素の出力を得るための撮像よりも、前記ピクセルを拡大して撮像し、前記演算部が、その撮像画像に基づいて前記ピクセルの像の全体の輝度を求め、前記中心露光係数及び前記周辺露光係数を算出することを特徴とする。【００１４】
請求項７に記載の発明は、固体撮像素子を備えるカメラにより表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像する単ピクセル撮像ステップと、前記単ピクセル撮像ステップで撮像したピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出する露光係数算出ステップと、前記表示パネルの全てのピクセルを点灯させて前記カメラにより撮像する全ピクセル撮像ステップと、前記全ピクセル撮像ステップの撮像画像並びに前記中心露光係数及び前記周辺露光係数に基づいて、前記表示パネルの全てのピクセルの輝度を算出する輝度算出ステップと、前記輝度算出ステップで算出した輝度に基づいて、前記表示パネルの入力信号を補正して前記表示パネルの輝度むらを低減させる補正データを生成する補正データ生成ステップとを含む補正データ生成方法を特徴とする。【００１５】
請求項８に記載の発明は、請求項７に記載の補正データ生成方法であって、前記表示パネルの所定のピクセルを点灯させてなるアライメントパターンを前記カメラにより撮像し、前記アライメントパターンの像が前記カメラのどの画素に写るかを検出することにより、前記表示パネルのピクセルと前記カメラの画素との対応関係を求めるアライメントステップを含むことを特徴とする。【００１６】
請求項９に記載の発明は、請求項７又は８に記載の補正データ生成方法であって、前記単ピクセル撮像ステップよりも前記ピクセルを拡大して撮像することにより、前記中心露光係数及び前記周辺露光係数を算出するための前記ピクセルの像の全体の輝度を求める拡大撮像ステップを含むことを特徴とする。【００１７】
請求項１０に記載の発明は、表示パネルのピクセルの点灯を制御するとともに、固体撮像素子を備えるカメラによる撮像を制御する制御部と、前記カメラの撮像画像に基づいて演算を行う演算部と、前記表示パネルの入力信号を補正して前記表示パネルの輝度むらを低減させる補正データを生成する補正データ生成部とを有し、前記カメラにより前記表示パネルのピクセルを撮像したときに、前記カメラの撮像面上でピクセルの像が複数の画素に及ぶとともにピクセルの像同士が重なり合わないように、前記制御部が、前記表示パネルの一又は複数のピクセルを点灯させて前記カメラにより撮像した後に、前記演算部が、撮像されたピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出し、前記制御部が、前記表示パネルの全てのピクセルを点灯させて前記カメラにより撮像した後に、前記演算部が、その撮像画像並びに前記中心露光係数及び前記周辺露光係数に基づいて、前記表示パネルの全てのピクセルの輝度を算出し、前記補正データ生成部が、前記表示パネルの全てのピクセルの輝度に基づいて、前記補正データを生成する補正データ生成装置を特徴とする。【００１８】
請求項１１に記載の発明は、請求項１０に記載の補正データ生成装置であって、前記制御部が、前記表示パネルの所定のピクセルを点灯させてなるアライメントパターンを前記カメラにより撮像し、前記演算部が、前記アライメントパターンの像が前記カメラのどの画素に写るかを検出することにより、前記表示パネルのピクセルと前記カメラの画素との対応関係を求めることを特徴とする。【００１９】
請求項１２に記載の発明は、請求項１０又は１１に記載の補正データ生成装置であって、前記制御部が、前記ピクセルの像の中心部に対応する一又は複数の画素の出力及び前記ピクセルの像の周辺部に対応する一又は複数の画素の出力を得るための撮像よりも、前記ピクセルを拡大して撮像し、前記演算部が、その撮像画像に基づいて前記ピクセルの像の全体の輝度を求め、前記中心露光係数及び前記周辺露光係数を算出することを特徴とする。【００２０】
請求項１３に記載の発明は、固体撮像素子を備えるカメラにより表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像する単ピクセル撮像ステップと、前記単ピクセル撮像ステップで撮像したピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出する露光係数算出ステップと、前記表示パネルの全てのピクセルを点灯させて前記カメラにより撮像する全ピクセル撮像ステップと、前記全ピクセル撮像ステップの撮像画像並びに前記中心露光係数及び前記周辺露光係数に基づいて、前記表示パネルの全てのピクセルの輝度を算出する輝度算出ステップと、前記輝度算出ステップで算出した輝度に基づいて、前記表示パネルの入力信号を補正して前記表示パネルの輝度むらを低減させる補正データを生成する補正データ生成ステップと、前記補正データを画質調整回路の記憶部に記憶させる補正データ記憶ステップと、前記画質調整回路が前記補正データに基づいて前記入力信号を補正するように、前記画質調整回路を前記表示パネルに実装する実装ステップとを含む画質調整型表示パネルの製造方法を特徴とする。【００２１】
請求項１４に記載の発明は、請求項１３に記載の画質調整型表示パネルの製造方法であって、前記表示パネルの所定のピクセルを点灯させてなるアライメントパターンを前記カメラにより撮像し、前記アライメントパターンの像が前記カメラのどの画素に写るかを検出することにより、前記表示パネルのピクセルと前記カメラの画素との対応関係を求めるアライメントステップを含むことを特徴とする。【００２２】
請求項１５に記載の発明は、請求項１３又は１４に記載の画質調整型表示パネルの製造方法であって、前記単ピクセル撮像ステップよりも前記ピクセルを拡大して撮像することにより、前記中心露光係数及び前記周辺露光係数を算出するための前記ピクセルの像の全体の輝度を求める拡大撮像ステップを含むことを特徴とする。【００２３】
請求項１６に記載の発明は、表示パネルと、前記表示パネルの入力信号を補正して前記表示パネルの表示むらを低減させる補正データが記憶された記憶部を備える画質調整回路とを有し、前記記憶部には、固体撮像素子を備えるカメラにより前記表示パネルのピクセルを撮像したときに、前記カメラの撮像面上でピクセルの像が複数の画素に及ぶとともにピクセルの像同士が重なり合わないように、前記表示パネルの一又は複数のピクセルを点灯させて前記カメラにより撮像し、撮像されたピクセルの像の中心部に対応する一又は複数の画素の出力に基づいて、前記ピクセルの像の中心部の輝度が前記ピクセルの像の全体の輝度に占める割合を示す中心露光係数を算出するとともに、前記ピクセルの像の周辺部に対応する一又は複数の画素の出力に基づいて、前記ピクセルの像の周辺部の輝度が前記ピクセルの像の全体の輝度に占める割合を示す周辺露光係数を算出し、前記表示パネルの全てのピクセルを点灯させて前記カメラにより撮像し、その撮像画像並びに前記中心露光係数及び前記周辺露光係数に基づいて、前記表示パネルの全てのピクセルの輝度を算出し、前記表示パネルの全てのピクセルの輝度に基づいて生成した補正データが、記憶されている画質調整型表示パネルを特徴とする。【００２４】
請求項１又は４に記載の発明によれば、表示パネルのピクセルの像同士がカメラの撮像面上で重なり合わないように、表示パネルのピクセルをカメラにより撮像し、ピクセルの像の中心部の輝度がピクセルの像の全体の輝度に占める割合を示す中心露光係数及びピクセルの像の周辺部の輝度がピクセルの像の全体の輝度に占める割合を示す周辺露光係数を算出した上で、表示パネルの全てのピクセルを点灯させてカメラにより撮像し、この撮像画像並びに中心露光係数及び周辺露光係数に基づいて、表示パネルの全てのピクセルの輝度を算出するので、表示パネルのピクセルの像がカメラの撮像面上で重なり合っていても、隣接するピクセルの像の影響を控除して、各ピクセルの輝度を正確に測定することができる。【００２５】
請求項２又は５に記載の発明によれば、表示パネルの所定のピクセルを点灯させてなるアライメントパターンをカメラにより撮像し、アライメントパターンの像がカメラのどの画素に写るかを検出することにより、表示パネルのピクセルとカメラの画素との対応関係を求めるので、この対応関係を利用することによって撮像結果（各画素の出力）と各ピクセルの輝度との結び付きの正確性が増し、各ピクセルの輝度をより一層正確に測定することができる。【００２６】
請求項３又は６に記載の発明によれば、ピクセルの像を拡大して（撮像面上でピクセルの像がより多くの画素に及ぶようにして）撮像することにより、ピクセルの像の全体の輝度を求めるので、撮像面上の画素間にある非受光部に起因する測定精度の低下を抑制することができ、各ピクセルの輝度をより一層正確に測定することができる。【００２７】
請求項７又は１０に記載の発明によれば、請求項１又は４に記載の発明と同様に、表示パネルのピクセルの像同士がカメラの撮像面上で重なり合わないように、表示パネルのピクセルをカメラにより撮像し、ピクセルの像の中心部の輝度がピクセルの像の全体の輝度に占める割合を示す中心露光係数及びピクセルの像の周辺部の輝度がピクセルの像の全体の輝度に占める割合を示す周辺露光係数を算出した上で、表示パネルの全てのピクセルを点灯させてカメラにより撮像し、この撮像画像並びに中心露光係数及び周辺露光係数に基づいて、表示パネルの全てのピクセルの輝度を算出するので、表示パネルのピクセルの像がカメラの撮像面上で重なり合っていても、隣接するピクセルの像の影響を控除して、各ピクセルの輝度を正確に測定することができる。そして、この表示パネルのピクセルごとの輝度に基づいて、表示パネルの輝度むらを低減させる補正データが生成されるので、表示パネルの画質を高精度に調整することが可能な補正データを生成することができる。【００２８】
請求項８又は１１に記載の発明によれば、請求項２又は５に記載の発明と同様に、表示パネルの所定のピクセルを点灯させてなるアライメントパターンをカメラにより撮像し、アライメントパターンの像がカメラのどの画素に写るかを検出することにより、表示パネルのピクセルとカメラの画素との対応関係を求めるので、この対応関係を利用することによって撮像結果（各画素の出力）と各ピクセルの輝度との結び付きの正確性が増し、各ピクセルの輝度をより一層正確に測定することができる。そして、この表示パネルのピクセルごとの輝度に基づいて、表示パネルの輝度むらを低減させる補正データが生成されるので、表示パネルの画質をより高精度に調整することが可能な補正データを生成することができる。【００２９】
請求項９又は１２に記載の発明によれば、請求項３又は６に記載の発明と同様に、ピクセルの像を拡大して（撮像面上でピクセルの像がより多くの画素に及ぶようにして）撮像することにより、ピクセルの像の全体の輝度を求めるので、撮像面上の画素間にある非受光部に起因する測定精度の低下を抑制することができ、各ピクセルの輝度をより一層正確に測定することができる。そして、この表示パネルのピクセルごとの輝度に基づいて、表示パネルの輝度むらを低減させる補正データが生成されるので、表示パネルの画質をより高精度に調整することが可能な補正データを生成することができる。【００３０】
請求項１３又は１６に記載の発明によれば、請求項７又は１０に記載の発明と同様に補正データが生成され、この補正データが記憶された画質調整回路が表示パネルに実装されるので、表示パネルの画質を高精度に調整することができる。【００３１】
請求項１４に記載の発明によれば、請求項８又は１１に記載の発明と同様に補正データが生成され、この補正データが記憶された画質調整回路が表示パネルに実装されるので、表示パネルの画質をより高精度に調整することができる。【００３２】
請求項１５に記載の発明によれば、請求項９又は１２に記載の発明と同様に補正データが生成され、この補正データが記憶された画質調整回路が表示パネルに実装されるので、表示パネルの画質をより高精度に調整することができる。
【発明の効果】
【００３３】
本発明によれば、表示パネルのピクセルの像がカメラの撮像面上で重なり合っていても、各ピクセルの輝度を正確に測定することができ、この測定輝度を用いて表示パネルの画質を向上させることもできる。
【図面の簡単な説明】
【００３４】
【図１】実施形態１に係る輝度測定装置を示す説明図である。
【図２】実施形態１に係る輝度測定方法を示す流れ図である。
【図３】アライメントパターンを示す説明図である。
【図４】露光係数測定用パターンを拡大して示す説明図である。
【図５】デフォーカスした場合の撮像面上におけるピクセルの像の例を示す説明図である。
【図６】フォーカスした場合の撮像面上におけるピクセルの像の例を示す説明図である。
【図７】撮像面上においてピクセルの像が重なり合っている例を示す説明図である。
【図８】実施形態２に係る補正データ生成装置を示す説明図である。
【図９】実施形態２に係る補正データ生成方法、画質調整型有機ＥＬパネルの製造方法及び画質調整方法を示す流れ図である。
【発明を実施するための形態】
【００３５】
本発明を実施するための形態について、図面を用いて説明する。
【００３６】
〔実施形態１〕
図１は、本形態に係る輝度測定装置を示す。この輝度測定装置１は、有機ＥＬパネル２の全てのピクセル（有機ＥＬパネル２の各ピクセルはＲ、Ｇ、Ｂのサブピクセルからなり、本発明では、このようなサブピクセルも「ピクセル」に含まれるものとする。）の輝度を測定するもので、制御部３と、演算部４と、記憶部５とを有する。制御部３は、パターン発生装置６を介して有機ＥＬパネル２の表示を制御するとともに、有機ＥＬパネル２に正対した白黒の固体撮像素子カメラ７による撮像を制御する。演算部４は、カメラ７の撮像画像等に基づいて各種の演算を行い、記憶部５は、カメラ７の撮像結果や演算部４の演算結果を記憶する。
【００３７】
輝度測定装置１が有機ＥＬパネル２のピクセルの赤色表示時の輝度を測定する際には、図２に示すように、まず、制御部３が、パターン発生装置６に指示して、図３に示すアライメントパターンＰＡを有機ＥＬパネル２に表示させる（ステップ１（図中「Ｓ．１」と記載。以下同様。））。アライメントパターンＰＡは、有機ＥＬパネル２上で既知の位置にある特定のピクセル（Ｒのサブピクセル）が点灯することにより、赤色四角形状のドットＤが縦横に並んだものである。
【００３８】
制御部３は、アライメントパターンＰＡが表示された有機ＥＬパネル２をカメラ７により撮像し（ステップ２）、演算部４は、この撮像画像に基づいて、ドットＤの像がカメラ７の撮像面上のどの画素に写るかを検出することにより、有機ＥＬパネル２のピクセルとカメラ７の画素との位置的な対応関係を求め（ステップ３）、これを記憶部５に記憶させる（ステップ４）。
【００３９】
次に、制御部３は、パターン発生装置６に指示して、図４に示す露光係数測定用パターンＰ１を有機ＥＬパネル２に表示させる（ステップ５）。露光係数測定用パターンＰ１は、有機ＥＬパネル２の最も左上のピクセルと、このピクセルから３ピクセルおきに右に位置するピクセルと、これらのピクセルから３ピクセルおきに下に位置するピクセルとを点灯させたもので、制御部３は、これをカメラ７によりデフォーカスして撮像する（ステップ６）。カメラ７の撮像面上におけるピクセルの像の形状や大きさは、そのピクセルの像が撮像面上のどこに位置するのかによって異なるが、ここでは、概ね、カメラ７の４画素×４画素に及ぶ程度の大きさであるとし、例えば図５に示すように、あるピクセルの像Ｉは、カメラ７の撮像面８上で画素９ａ〜９ｐに及んでいる。また、カメラ７の撮像面上において、隣接するピクセルの像同士は重なり合っていない。
【００４０】
演算部４は、ステップ６における撮像画像に基づいて、ピクセルの像の全体の輝度を求める（ステップ７）。例えばピクセルの像Ｉの全体の輝度であれば、画素９ａ〜９ｐの出力から求めることができる。露光係数測定用パターンＰ１を構成する点灯中の各ピクセルについて、求められたピクセルの像の全体の輝度は、記憶部５に記憶される（ステップ８）。
【００４１】
続いて、制御部３は、露光係数測定用パターンＰ１をカメラ７によりフォーカスして（ピントを合わせて）撮像する（ステップ９）。前述したように、カメラ７の撮像面上におけるピクセルの像の形状や大きさは、そのピクセルの像が撮像面上のどこに位置するかによって異なるが、ここでは、概ね、カメラ７の３画素×３画素に及ぶ程度の大きさであるとし、例えば図６に示すように、ピクセルの像Ｉは、カメラ７の撮像面８上で画素９ａ〜９ｃ，９ｅ〜９ｇ，９ｉ〜９ｋに及んでいる。すなわち、ピクセルの像Ｉは、デフォーカスして撮像した場合（図５）と比べて縮小しており（換言すると、ステップ９よりもピクセルの像が多数の画素に及ぶステップ６では、ピクセルを拡大して撮像していた。）、このとき、当然ながら、隣接するピクセルの像同士は重なり合っていない。
【００４２】
演算部４は、ステップ９における撮像画像に基づいて、ピクセルの像の中心部の輝度を求め（ステップ１０）、これを記憶部５に記憶させるとともに（ステップ１１）、ピクセルの像の８つの周辺部の輝度を求め（ステップ１２）、これらを記憶部５に記憶させる（ステップ１３）。ここでは、ピクセルの像の中心部の輝度とは、ピクセルの像の重心が位置する画素の出力に応じた輝度とし、ピクセルの像の８つの周辺部の輝度とは、その重心が位置する画素に隣接する８つの画素の出力に応じた輝度とする。したがって、図６では、画素９ｆの出力からピクセルの像Ｉの中心部の輝度を求め、画素９ａの出力からピクセルの像Ｉの第１の周辺部の輝度を求め、画素９ｂの出力からピクセルの像Ｉの第２の周辺部の輝度を求め、画素９ｃの出力からピクセルの像Ｉの第３の周辺部の輝度を求め、画素９ｅの出力からピクセルの像Ｉの第４の周辺部の輝度を求め、画素９ｇの出力からピクセルの像Ｉの第５の周辺部の輝度を求め、画素９ｉの出力からピクセルの像Ｉの第６の周辺部の輝度を求め、画素９ｊの出力からピクセルの像Ｉの第７の周辺部の輝度を求め、画素９ｋの出力からピクセルの像Ｉの第８の周辺部の輝度を求めることができる。
【００４３】
さらに、演算部４は、ステップ１０で求めたピクセルの像の中心部の輝度をステップ７で求めたピクセルの像の全体の輝度で除してなる中心露光係数を算出し（ステップ１４）、これを記憶部５に記憶させるとともに（ステップ１５）、ステップ１２で求めたピクセルの像の８つの周辺部の輝度をそれぞれステップ７で求めたピクセルの像の全体の輝度で除してなる８つの周辺露光係数を算出し（ステップ１６）、これらを記憶部５に記憶させる（ステップ１７）。
【００４４】
以降、輝度測定装置１は、露光係数測定用パターンＰ１で点灯していた各ピクセルの１つ右のピクセルが点灯してなる露光係数測定用パターンＰ２、露光係数測定用パターンＰ１で点灯していた各ピクセルの２つ右のピクセルが点灯してなる露光係数測定用パターンＰ３、露光係数測定用パターンＰ１で点灯していた各ピクセルの３つ右のピクセルが点灯してなる露光係数測定用パターンＰ４、露光係数測定用パターンＰ１で点灯していた各ピクセルの１つ下のピクセルが点灯してなる露光係数測定用パターンＰ５、露光係数測定用パターンＰ２で点灯していた各ピクセルの１つ下のピクセルが点灯してなる露光係数測定用パターンＰ６、露光係数測定用パターンＰ３で点灯していた各ピクセルの１つ下のピクセルが点灯してなる露光係数測定用パターンＰ７、露光係数測定用パターンＰ４で点灯していた各ピクセルの１つ下のピクセルが点灯してなる露光係数測定用パターンＰ８、露光係数測定用パターンＰ１で点灯していた各ピクセルの２つ下のピクセルが点灯してなる露光係数測定用パターンＰ９、露光係数測定用パターンＰ２で点灯していた各ピクセルの２つ下のピクセルが点灯してなる露光係数測定用パターンＰ１０、露光係数測定用パターンＰ３で点灯していた各ピクセルの２つ下のピクセルが点灯してなる露光係数測定用パターンＰ１１、露光係数測定用パターンＰ４で点灯していた各ピクセルの２つ下のピクセルが点灯してなる露光係数測定用パターンＰ１２、露光係数測定用パターンＰ１で点灯していた各ピクセルの３つ下のピクセルが点灯してなる露光係数測定用パターンＰ１３、露光係数測定用パターンＰ２で点灯していた各ピクセルの３つ下のピクセルが点灯してなる露光係数測定用パターンＰ１４、露光係数測定用パターンＰ３で点灯していた各ピクセルの３つ下のピクセルが点灯してなる露光係数測定用パターンＰ１５、露光係数測定用パターンＰ４で点灯していた各ピクセルの３つ下のピクセルが点灯してなる露光係数測定用パターンＰ１６について、ステップ５乃至１５と同様な処理を行い、各ピクセルについて中心露光係数と８つの周辺露光係数（以下、これらをまとめて「露光係数」ともいう。）を算出し、これらを記憶部５に記憶する（ステップ１８）。これにより、有機ＥＬパネル２の全てのピクセルについて、計９つの露光係数が算出されたことになる。
【００４５】
ところで、露光係数は、カメラ７のレンズの収差等により、カメラ７の撮像面上におけるピクセルの像の位置（ピクセルの像の重心がある画素の撮像面上における位置）や位相（ピクセルの像の重心がある画素の中心と、その重心とのずれ）により変化する。つまり、露光係数は、ピクセルの像の位置δＸ，δＹと位相αＸ，αＹの４つのパラメータにより決定されるが、ステップ５乃至１８で求めた各ピクセルの露光係数は、ピクセルごとに位置や位相がばらばらであり、後述のステップ２３等において使おうとすると、使いにくい。そこで、演算部４は、これまで求めた各ピクセルの露光係数に基づいて、有機ＥＬパネル２のエリアごとに代表的な位置及び位相についての露光係数を算出し（ステップ１９）、これを露光係数テーブルとして記憶部５に記憶させる（ステップ２０）。ここで、有機ＥＬパネル２のエリアごとに、そのエリアを代表する位置及び位相についての露光係数を算出することにしたのは、例えばピクセルの像の形状が、有機ＥＬパネル２のエリアごと（カメラ７の撮像面のエリアごと）に円形に近かったり楕円形に近かったりすることがあり、円形に近いエリアでいくつかの位置及び位相についての露光係数が準備され、かつ、楕円形に近いエリアでいくつかの位置及び位相についての露光係数が準備されていれば、円形に近いピクセルの像の露光係数が必要な場合には、円形に近いエリアの代表的な露光係数を補間して求めることができ、楕円形に近いピクセルの像の露光係数が必要な場合には、楕円形に近いエリアの代表的な露光係数を補間して求めることができるからである。
【００４６】
露光係数テーブルが得られると、制御部３は、パターン発生装置６に指示して、輝度測定用パターンＰＢを有機ＥＬパネル２に表示させる（ステップ２１）。輝度測定用パターンＰＢは、有機ＥＬパネル２の全てのピクセル（全てのＲのサブピクセル）が同時に点灯することにより、有機ＥＬパネル２の全面に表示される赤色の画像である。
【００４７】
制御部３は、輝度測定用パターンＰＢが表示された有機ＥＬパネル２をカメラ７により撮像し（ステップ２２）、演算部４は、この撮像画像に基づいて、有機ＥＬパネル２の全てのピクセルの輝度を算出し（ステップ２３）、記憶部５に記憶させる（ステップ２４）。
【００４８】
具体的には、ステップ３で求めた有機ＥＬパネル２のピクセルとカメラ７の画素との対応関係、並びに、ステップ１９及び２０で生成した露光係数テーブルにより、演算部４は、カメラ７の各画素に有機ＥＬパネル２のどのピクセルの像が写っているのかを認識することができる。すなわち、上記対応関係により、有機ＥＬパネル２の任意のピクセルの像がカメラ７のある画素を中心に写ることがわかり、上記露光係数テーブルにより、その「任意のピクセルの像」が「ある画素」の周囲のどの画素にまで及ぶかがわかるから、演算部４は、カメラ７の各画素が、有機ＥＬパネル２のどのピクセルの影響をどのくらい受けているのかを把握することができる。また、カメラ７の各画素の出力（各画素の受光量）は測定により明らかである一方、有機ＥＬパネル２をラスタ点灯した時（全てのピクセルを同時点灯した時）の各ピクセルの輝度は未知数であるから、例えば図７に示すように、カメラ７の画素９ｆが、ピクセルの像Ｉ５の中心部、ピクセルの像Ｉ１〜Ｉ４，Ｉ６〜Ｉ９の周辺部に対応する場合、
画素９ｆの出力に対応する輝度をＢ９ｆ
ピクセルの像Ｉ５の輝度をＸ５、中心部の露光係数をｋ５
ピクセルの像Ｉ１の輝度をＸ１、画素９ｆに対する周辺部の露光係数をｋ９
ピクセルの像Ｉ２の輝度をＸ２、画素９ｆに対する周辺部の露光係数をｋ８
ピクセルの像Ｉ３の輝度をＸ３、画素９ｆに対する周辺部の露光係数をｋ７
ピクセルの像Ｉ４の輝度をＸ４、画素９ｆに対する周辺部の露光係数をｋ６
ピクセルの像Ｉ６の輝度をＸ６、画素９ｆに対する周辺部の露光係数をｋ４
ピクセルの像Ｉ７の輝度をＸ７、画素９ｆに対する周辺部の露光係数をｋ３
ピクセルの像Ｉ８の輝度をＸ８、画素９ｆに対する周辺部の露光係数をｋ２
ピクセルの像Ｉ９の輝度をＸ９、画素９ｆに対する周辺部の露光係数をｋ１
とすると、次の方程式が成り立つ。
Ｂ９ｆ＝ｋ９Ｘ１＋ｋ８Ｘ２＋ｋ７Ｘ３＋ｋ６Ｘ４＋ｋ５Ｘ５＋ｋ４Ｘ６＋ｋ３Ｘ７＋ｋ２Ｘ８＋ｋ１Ｘ９
このような方程式は他の画素についても成り立つから、演算部４は、それらの方程式からなる連立一次方程式を未知数Ｘについて解くことにより、全てのピクセルの輝度を求めることができる。
【００４９】
以上は、輝度測定装置１が有機ＥＬパネル２のピクセルの赤色表示時の輝度（全てのＲのサブピクセルの輝度）を測定する方法であるが、輝度測定装置１は、有機ＥＬパネル２のピクセルの緑色表示時の輝度（全てのＧのサブピクセルの輝度）及び青色表示時の輝度（全てのＢのサブピクセルの輝度）についても、同様に測定可能である。
【００５０】
本形態に係る輝度測定装置１による輝度測定方法では、有機ＥＬパネル２のピクセルの像同士がカメラ７の撮像面８上で重なり合わないように、有機ＥＬパネル２のピクセルをカメラ７により撮像し、ピクセルの像の中心部の輝度がピクセルの像の全体の輝度に占める割合を示す中心露光係数及びピクセルの像の周辺部の輝度がピクセルの像の全体の輝度に占める割合を示す周辺露光係数を算出した上で、有機ＥＬパネル２の全てのピクセルを点灯させてカメラ７により撮像し、この撮像画像並びに中心露光係数及び周辺露光係数に基づいて、有機ＥＬパネル２の全てのピクセルの輝度を算出するので、有機ＥＬパネル２のピクセルの像がカメラ７の撮像面８上で重なり合っていても、隣接するピクセルの像の影響を控除して、各ピクセルの輝度を正確に測定することができる。
【００５１】
また、輝度測定装置１では、有機ＥＬパネル２の所定のピクセルを点灯させてなるアライメントパターンＰＡをカメラ７により撮像し、アライメントパターンＰＡの像がカメラ７のどの画素に写るかを検出することにより、有機ＥＬパネル２のピクセルとカメラ７の画素との対応関係を求め、この対応関係を利用することによって、撮像結果とピクセルの輝度との結び付きの正確性が増している。さらに、ステップ６においてピクセルの像を拡大して撮像した上で、ステップ７においてピクセルの像の全体の輝度を求めているので、撮像面８上の画素間にある非受光部に起因する測定精度の低下を抑制することができ、各ピクセルの輝度をより一層正確に測定することができる。
【００５２】
〔実施形態２〕
図８は、本形態に係る補正データ生成装置を示す。この補正データ生成装置１０は、実施形態１に係る輝度測定装置１に対してＲＯＭライタ１１が追加接続されたもので、図９に示すように、輝度測定装置１と同様に有機ＥＬパネル２の全てのピクセルの輝度を測定した上で（ステップ１乃至２４）、このピクセルごとの輝度に基づいて、演算部４が、有機ＥＬパネル２の表示むら（輝度むら）を低減させる補正データを生成する（ステップ２５）。生成された補正データは、ＲＯＭライタ１１によりＲＯＭ（不揮発性メモリ）１２に書き込まれ（ステップ２６）、このＲＯＭ１２を備える画質調整回路１３が有機ＥＬパネル２に実装されることによって、画質調整型有機ＥＬパネル１４が製造される（ステップ２７）。
【００５３】
画質調整型有機ＥＬパネル１４では、画像信号が入力されると（ステップ２８）、画質調整回路１３がＲＯＭ１２に書き込まれた補正データを参照して有機ＥＬパネル２に入力された画像信号（入力信号）を補正することにより、有機ＥＬパネル２の表示むらの低減が図られて画質が調整される（ステップ２９）。
【００５４】
本形態に係る補正データ生成装置１０による補正データ生成方法及び画質調整型有機ＥＬパネル１４の製造方法では、実施形態１におけると同様に有機ＥＬパネル２のピクセルごとの輝度が測定され、このピクセルごとの輝度に基づいて、有機ＥＬパネル２の表示むらを低減させる補正データが生成されるので、有機ＥＬパネル２の画質を高精度に調整することができる。
【００５５】
以上、本発明を実施するための形態について例示したが、本発明の実施形態は上述したものに限られず、本発明の趣旨を逸脱しない範囲で適宜変更等してもよい。
【００５６】
例えば画質調整に供する表示パネルは有機ＥＬパネルに限られず、液晶パネルやプラズマディスプレイ（ＰＤＰ）、あるいは、投影型のプロジェクタ等であってもよい。
【００５７】
また、カメラは白黒カメラに限られずカラーカメラであってもよく、ピクセルの像を拡大して撮像するにはデフォーカスによらず、ズームやカメラの移動等によることとしてもかまわない。
【００５８】
さらに、ピクセルの像の中心部の輝度及び周辺部の輝度の定義についても、上述したものに限られない。
【符号の説明】
【００５９】
１          輝度測定装置
２          有機ＥＬパネル（表示パネル）
３          制御部
４          演算部
５          記憶部
６          パターン発生装置
７          カメラ
８          撮像面
９ａ〜９ｐ  画素
１０        補正データ生成装置
１１        ＲＯＭライタ
１２        ＲＯＭ（記憶部）
１３        画質調整回路
１４        画質調整型有機ＥＬパネル（画質調整型表示パネル）
【図１】
0005952811.tif 000002
【図２】
0005952811.tif 000003
【図３】
0005952811.tif 000004
【図４】
0005952811.tif 000005
【図５】
0005952811.tif 000006
【図６】
0005952811.tif 000007
【図７】
0005952811.tif 000008
【図８】
0005952811.tif 000009
【図９】
0005952811.tif 000010